(57)【要約】【課題】太さが異なる電源ケーブル同士を容易に接続することができ、しかも施行後のレイアウト変更も容易に行うことが可能なジョイントボックスを提供する。【解決手段】ジョイントボックス１０は、一端側ＴＭ１からＸ方向に配線される径の大きい第１電源ケーブＣＢＬ１の単相二線と接地線が圧着された圧着端子が接続される一次側接続部領域ＡＲ１に設けられた一次側接続部２０と、他端側ＴＭ２からＸ方向に配線される径の小さい第２電源ケーブＣＢＬ２の単相二線と接地線が差し込まれることによって結線する二次側接続領域ＡＲ２に設けられた二次側接続部３０と、一次側接続部２０と二次側接続部３０の対応する接続端子同士を接続する中継用接続導体部４０とが器台１１に形成されている。器台１１には、一次側接続部２０、中継用接続導体部４０、および二次側接続部３０がケーブル配線方向であるＸ方向に沿って順に配置されている。【選択図】図６
2020095832.tif 000002
【特許請求の範囲】
【請求項１】
太さの異なる第１電源ケーブルと第２電源ケーブルとを接続するジョイントボックスであって、
このジョイントボックスは、
一端側から配線される径の大きい第１電源ケーブの芯線に圧着接続された圧着端子を接続する一次側接続部と、
他端側から配線される径の小さい第２電源ケーブの芯線を差し込み結線する二次側接続部と、
前記一次側接続部と前記二次側接続部とを電気的に接続する中継用接続導体部と
を有するジョイントボックス。
【発明の詳細な説明】
【技術分野】
【０００１】
近年オフィス等における屋内配線は、床下スラブと床との間に設けたフリーアクセスフロアに電源ケーブル（以下単にケーブルと云う）を敷設する配線システムが多く採用されている。
本発明は、主としてこのフリーアクセスフロアにケーブルを配線する際に使用するジョイントボックスに関するものである。
【背景技術】
【０００２】
図１６は、フリーアクセスフロアにケーブルを配線する配線システムの一例を示す図である。
図１６の配線システムにおいて、従来は図示しない配電盤からハーネスジョイントボックス５０までを通常φ２ｍｍ×３芯ＶＶＦケーブルＣＢＬ２で配線していた。
しかし、その配線距離が長くなると電圧降下を起こし、ハーネスジョイントボックス５０側へ規定の電圧値を送れない現象が発生する。
【０００３】
そのため、配電盤とハーネスジョイントボックス５０との間に中継用のジョイントボックスを設け、配電盤からこのジョイントボックスまでは電圧降下を考慮した径の大きいケーブル（例えば１４ｍｍ２×３芯ＶＣＴケーブル）（以下大径ケーブルと云うことがある）ＣＢＬ１で、ジョイントボックスからハーネスジョイントボックスまでは径の小さいケーブル（例えばφ２ｍｍ×３芯ＶＶＦケーブル）（以下小径ケーブルと云うことがある）ＣＢＬ２で接続する配線工法が採用されている。
【０００４】
すなわち、配線距離が長い場合は、配電盤から中継用のジョイントボックスまでを大径ケーブルで配線し、そのジョイントボックスからハーネスジョイントボックスまでを小径ケーブルで接続し、電圧降下が起きても必要とする電圧をハーネスジョイントボックス側に送電可能とする配線方法が採用されている。
【先行技術文献】
【特許文献】
【０００５】
【特許文献１】特開２００７−９５６４２号公報
【発明の概要】
【発明が解決しようとする課題】
【０００６】
しかし従来の中継用のジョイントボックスは、配電盤からのケーブルとハーネスジョイントボックス側に送るケーブルとが同一種類のケーブルで接続する専用のジョイントボックス構造であり、大径ケーブルと小径ケーブルとを接続する仕様にはなっていなかった（たとえば特許文献１参照）。
すなわち、従来の中継用のジョイントボックスは、大径ケーブルと小径ケーブルとの接続には使用できず、従って配線距離が長くなり、大径ケーブルを使用する場合、このようなジョイントボックスでは対応できない構造となっていた。
【０００７】
そのため、ハーネスジョイントボックスの手前に図１７に示すようにアウトレットボックス７０などを設置し、このアウトレットボックス７０などの内部で配電盤からの大径ケーブルとハーネスジョイントボックス側に送る小径ケーブルとを圧着端子で接続し、ハーネスジョイントボックスでは小径ケーブル相互を接続する配線方法が採用されていた。
【０００８】
しかしこの様な配線方法では、施工後にレイアウト変更を行う場合、アウトレットボックス７０など内部の圧着端子接続部分を切断して新たな配線システムに変更する必要があり、改めて圧着端子にて新たなケーブルを接続しなければならない等、無駄な手間や新たに部品を準備する等の不利益が生じていた。
【０００９】
本発明は、太さの異なるケーブル同士を容易に接続することができ、しかも施行後のレイアウト変更も容易に行うことが可能なジョイントボックスを提供することにある。
なお、太さの異なるケーブルとは、径が異なる同一形状のケーブル、或いは丸型ケーブルと平型ケーブルのように形状の異なるケーブルを接続する形態を含む。
【課題を解決するための手段】
【００１０】
本発明の観点のジョイントボックスは、太さの異なる第１電源ケーブルと第２電源ケーブルとを接続するジョイントボックスであって、このジョイントボックスは、一端側から配線される径の大きい第１電源ケーブルの芯線に圧着接続された圧着端子を接続する一次側接続部と、他端側から配線される径の小さい第２電源ケーブルの芯線を差し込み結線する二次側接続部と、前記一次側接続部と前記二次側接続部とを電気的に接続する中継用接続導体部とを有する。
【発明の効果】
【００１１】
本発明によれば、太さが異なる電源ケーブル同士を容易に接続することができ、しかも施行後のレイアウト変更も容易に行うことが可能となる。
【図面の簡単な説明】
【００１２】
【図１】本発明の実施形態に係る中継用ジョイントボックスを適用した配線システムの一例を示す図である。
【図２】本発明の第１の実施形態に係る中継用ジョイントボックスの外観斜視図である。
【図３】本第１の実施形態に係る中継用ジョイントボックスの要部の分解斜視図である。
【図４】本第１の実施形態に係る中継用ジョイントボックスの電源ケーブルを装着している状態（結線状態）の上面図、配線状態を示す上面図、側面図、および簡略断面図である。
【図５】本第１の実施形態に係る中継用ジョイントボックスの電源ケーブルを装着していない状態（非結線状態）の上面図、側面図、および底面図である。
【図６】本第１の実施形態に係る中継用ジョイントボックスの電源ケーブルを装着していない状態（非結線状態）の内部の要部構成を示す説明図である。
【図７】二次側接続部を簡単に示す一部切り欠き斜視図である。
【図８】本第２の実施形態に係る中継用ジョイントボックスの電源ケーブルを装着していない状態（非結線状態）の上面図、側面図、および底面図である。
【図９】本第２の実施形態に係る中継用ジョイントボックスの電源ケーブルを装着していない状態（非結線状態）の内部の要部構成を示す説明図である。
【図１０】本第３の実施形態に係る中継用ジョイントボックスの電源ケーブルを装着していない状態（非結線状態）の上面図、側面図、および底面図である。
【図１１】本第３の実施形態に係る中継用ジョイントボックスの電源ケーブルを装着していない状態（非結線状態）の内部の要部構成を示す説明図である。
【図１２】本第４の実施形態に係る中継用ジョイントボックスの電源ケーブルを装着していない状態（非結線状態）の上面図、側面図、および底面図である。
【図１３】本第４の実施形態に係る中継用ジョイントボックスの電源ケーブルを装着していない状態（非結線状態）の内部の要部構成を示す説明図ある。
【図１４】本第５の実施形態に係る中継用ジョイントボックスの電源ケーブルを装着していない状態（非結線状態）の上面図、側面図、および底面図である。
【図１５】本第５の実施形態に係る中継用ジョイントボックスの電源ケーブルを装着していない状態（非結線状態）の内部の要部構成を示す説明図である。
【図１６】従来の配線例を説明するための第１の説明図である。
【図１７】従来の配線例を説明するための第２の説明図である。
【発明を実施するための形態】
【００１３】
以下、本発明の実施形態を図面に関連付けて説明する。
【００１４】
図１は、本発明の実施形態に係るジョイントボックスを中継用ジョイントボックスとして適用した配線システムの一例を示す図である。
【００１５】
本実施形態のジョイントボックス１０は、主として、床下スラブと床との間にケーブル（電源線）を引き回す配線スペースを設けたフリーアクセスフロアにおける床下配線システムで用いられるジョイントボックスである。
図１に示す配線例は、配電盤（図省略）からの大径ケーブルＣＢＬ１を、ジョイントボックス１０を介して小径ケーブルＣＢＬ２に接続し、小径ケーブルＣＢＬ２からハーネス用ジョイントボックス５０を経由して、ケーブルＣＢＬ３で床上のテーブルタップ６０に接続する配線システムである。
【００１６】
（第１の実施形態）
本第１の実施形態に係る中継用ジョイントボックスを適用した配線システムを図１に示し、配電盤側に接続する大径ケーブルＣＢＬ１とハーネスジョイントボックス５０側に接続する小径ケーブルＣＢＬ２とを接続するジョイントボックス１０を例として説明する。
なお、図中の１００は床下スラブを、１１０は床を示している。
【００１７】
図２（Ａ）および（Ｂ）は、本発明の第１の実施形態に係る中継用ジョイントボックスの外観斜視図である。
図２（Ａ）は、本第１の実施形態に係る中継用ジョイントボックスをハーネスジョイントボックス側（小径ケーブル接続側、二次側）の斜め上方から見た外観斜視図であり、図２（Ｂ）は本第１の実施形態に係る中継用ジョイントボックスを配電盤側（大径ケーブル接続側、一次側）の斜め上方から見た外観斜視図である。
図３は、本第１の実施形態に係る中継用ジョイントボックスの要部の分解斜視図である。
図４（Ａ）〜（Ｄ）は、本第１の実施形態に係る中継用ジョイントボックスの電源ケーブルを装着している状態（結線状態）の上面図、配線状態を示す上面図、側面図、および簡略断面図である。
図５（Ａ）〜（Ｃ）は、本第１の実施形態に係る中継用ジョイントボックスに電源ケーブルを装着していない状態（非結線状態）の上面図、側面図、および底面図である。
図６（Ａ）〜（Ｄ）は、本第１の実施形態に係る中継用ジョイントボックスに電源ケーブルを装着していない状態（非結線状態）の内部の要部構成を示す説明図である。
【００１８】
本第１の実施形態に係るジョイントボックス１０は、配電盤側（一次側）から敷設された大径ケーブルＣＢＬ１と、ハーネスジョイントボックス５０側（二次側）に敷設する小径ケーブルＣＢＬ２とを接続するジョイントボックスである。
図４（Ａ）に示すように、本第１の実施形態に係るジョイントボックス１０は、大径ケーブルＣＢＬ１として８ｍｍ２または１４ｍｍ２の３芯ＶＣＴケーブルを、小径ケーブルＣＢＬ２としてφ１.６ｍｍまたはφ２ｍｍの３芯ＶＶＦケーブルを接続する実施形態である。
【００１９】
ジョイントボックス１０は、図３に示すように器台１１と、この器台１１に取り付ける第１蓋体１２及び第２蓋体１３とを有する。
器台１１は、略直方体状に構成され、この器台１１には、大径ケーブＣＢＬ１を結線する接続部（以下一次側接続部と云うことがある）２０を設けた大径ケーブル側接続部領域（以下一次側接続部領域と云う）ＡＲ１と、小径ケーブルＣＢＬ２を結線する接続部（以下二次側接続部と云うことがある）３０を設けた小径ケーブル側接続部領域（以下二次側接続部領域と云う）ＡＲ２と、前記一次側接続部と前記二次側接続部に収納されている導体同士を電気的に接続する中継用の接続導体部（以下中継用接続導体部と云うことがある）４０を設けた中継用接続導体部領域ＡＲ３と、が形成されている。
【００２０】
前記一次側接続部領域ＡＲ１、前記中継用接続導体部領域ＡＲ３、および前記二次側接続部領域ＡＲ２は、ケーブル配線方向であるＸ方向に沿って順に配置されている。
器台１１に取り付ける第１蓋体１２は、器台１１の一次側接続部領域ＡＲ１を覆い、複数のねじＳ１−１〜Ｓ１−４により器台１１に対して着脱自在に取り付けられる蓋体である。
第２蓋体１３は、器台１１の二次側接続部領域ＡＲ２及び中継用接続導体部領域ＡＲ３を覆い、複数のねじＳ２−１〜Ｓ２−４により器台１１に対して着脱自在に取り付けられる蓋体である。
【００２１】
また、図４（Ｃ）および（Ｄ）に示すように、本実施形態のジョイントボックス１０の器台１１の厚さ（Ｚ方向の厚み）は、大径ケーブル対応の一次側接続部領域ＡＲ１の方が小径ケーブル対応の二次側接続部領域ＡＲ２及び中継用接続導体部領域ＡＲ３の方より厚く形成されている。
従って器台１１は、一次側接続部領域ＡＲ１と二次側接続部領域ＡＲ２及び中継用接続導体部領域ＡＲ３との境界部に段差が形成されている。
【００２２】
本実施形態の器台１１に設けた一次側接続部２０には、大径ケーブルＣＢＬ１の芯線３本に圧着接続された丸型圧着端子及びそれらを結線する大径ケーブル接続端子（以下一次側接続端子と云うことがある）をそれぞれ絶縁して収納する３つの接続端子収納室２１，２２，２３を備えている。
本例では、３つの接続端子収納室２１，２２，２３は、ケーブル配線方向であるＸ方向に直交するＹ方向に並列に並んで形成されている。
【００２３】
また、器台１１に設けた二次側接続部３０には、小径ケーブルＣＢＬ２の芯線３本及びそれらを結線する小径ケーブル接続端子（以下二次側接続端子と云うことがある）をそれぞれ絶縁して収納する３つの接続端子収納室３１，３２，３３を備えている。
本例では、３つの接続端子収納室３１，３２，３３は、ケーブル配線方向であるＸ方向に直交するＹ方向に並列に並んで形成されている。
【００２４】
さらに器台１１に設けた中継用接続導体部４０には、一次側接続端子と二次側接続端子とを電気的に接続する中継用接続導体をそれぞれ絶縁して収納する３つの中継用接続導体収容室４１，４２，４３を備えている。
ジョイントボックス１０の一次側端部ＴＭ１には、大径ケーブル用コード孔１４が設けられ、ケーブルを押圧し、張力を緩和するためのバンド１５−１が備えられている。
また、ジョイントボックス１０の第２蓋体１３の上面には、後述する二次側接続端子の鎖錠バネの鎖錠状態を解錠する解錠ボタン１６が備えられている。
また、ジョイントボックス１０は、床下スラブに取り付けるための取付穴１７が器台１１に備えられている。
【００２５】
以上、本第１の実施形態に係るジョイントボックス１０の基本的な構成に付いて説明した。
以下に、本第１の実施形態に係るジョイントボックス１０の一次側接続部２０、二次側接続部３０、および中継用接続導体部４０の具体的な構成について説明する。
【００２６】
一次側接続部２０は、単相２線の各電線と接地線の接続ができる構成となっている。
具体的には、図３、図４、図６に示すように、一次側接続部２０には、接地用接続端子収納室２１、接地側用接続端子収納室２２、電圧側用接続端子収納室２３が備えられている。
接続端子収納室は、接地側用接続端子収納室２２がジョイントボックス１０の幅方向（Ｙ方向）の中央部に配置され、その両側に接地用接続端子収納室２１と電圧側用接続端子収納室２３が並列に配置されている。
接続端子収納室２１，２２，２３には、接地用接続端子２１３、接地側用接続端子２２３、電圧側用接続端子２３３がそれぞれ絶縁され、固定されている。
接続端子２１３，２２３，２３３の固定は、図示するようにねじ２１４，２２４，２３４で取り付けても良く、器台１１と一体に埋め込んでも良い。
一次側接続部２０に結線される大径ケーブルＣＢＬ１は、３芯のＶＣＴケーブルが適用され、３本の電線それぞれを接地用電線、接地側用電線、電圧側用電線として使用する。
３芯のＶＣＴケーブルの結線は、各電線の被覆を剥いで露出した芯線に圧着接続された丸型圧着端子２１１、２２１、２３１を一次側接続端子収納室２１，２２，２３に固定された３つの接続端子２１３，２２３，２３３のそれぞれに対応する接続端子に行う。
具体的には、接地用接続端子２１３にケーブルＣＢＬ１の接地用電線ＣＢＬ１−Ｇに圧着接続された丸型圧着端子２１１を重ね合わせ、ねじ２１２で締め付けて結線する。
接地用接続端子２１３に丸型圧着端子２１１をねじ２１２で結線することにより、大径ケーブルの接地用電線ＣＢＬ１−Ｇと接地用接続端子２１３とが電気的に接続される。
同様にケーブルＣＢＬ１の接地側用電線ＣＢＬ１−Ｎ、電圧側用電線ＣＢＬ１−Ｖに圧着接続された丸型圧着端子２２１，２３１をねじ２２２、２３２で締め付けて接地側用接続端子２２３、電圧側用接続端子２３３に結線し、電気的に接続する。
【００２７】
二次側接続部３０は、単相２線の各電線と接地線の接続ができる構成となっている。
具体的には、図３、図６、図７に示すように、二次側接続部３０には、接続する電線の芯線を差し込む接地用導体差し込み溝３１１、接地側用導体差し込み溝３２１、電圧側用導体差し込み溝３３１と、これら差込溝に連続して形成された接地用接続端子収納室３１、接地側用接続端子収納室３２，電圧側用接続端子収納室３３が備えられている。
接続端子収納室は、接地側用接続端子収納室３２がジョイントボックス１０の幅方向（Ｙ方向）の中央部に配置され、その両側に接地用接続端子収納室３１と電圧側用接続端子収納室３３が並列に配置されている。
各接続端子収納室３１，３２，３３には、導体差し込み溝から差し込まれる芯線を鎖錠する導体鎖錠部である接続端子３１３，３２３，３３３と、その接続端子に嵌装された鎖錠バネ３１２，３２２，３３２が収納されている。
二次側接続部３０に結線される小径ケーブルＣＢＬ２は、３芯のＶＶＦケーブルが適用され、３本の電線それぞれを接地用電線、接地側用電線、電圧側用電線として使用する。
３芯のＶＶＦケーブルの結線方式については、接地用接続端子３１３と接地用電線ＣＢＬ２−Ｇを用いて説明する。
尚、接地側用接続端子３２３と接地側用電線、電圧側用接続端子３３３と電圧側用電線の結線も同様の方式を有する。
結線は、電線の被覆を指定された長さで剥き露出させた芯線ＣＢＬ２−Ｇを導体差し込み溝から接続端子３１３の奥まで完全に差し込むことで当該芯線は導体鎖錠部である接続端子３１３と鎖錠ばね３１２との間に挟まれ、ばねの力で鎖錠すると共に圧着されることにより電気的に接続される。
また、電線は、第２蓋体１３に設けた解錠ボタン１６を押すことにより解錠子１６１が鎖錠バネ３１２を押し下げることで芯線ＣＢＬ２−Ｇが解錠され、容易に引き抜くことができる。
【００２８】
中継用接続導体部４０には、図３および図６に示すように、器台１１の中継用接続導体部収納室４１，４２，４３が備えられ、一次側接続端子２１３，２２３，２３３と二次側接続端子３１３，３２３，３３３とを電気的に接続する中継用接続導体４１１，４２１，４３１が収納されている。
具体的には、中継用接続導体部収納室４１に収納された中継用接続導体４１１の一端は、一次側接地用接続端子収納室２１に固定された接続端子２１３と接続され、中継用接続導体４１１の他端は二次側接地用接続端子収納室３１に収納固定された接続端子３１３と接続されている。
また、中継用接続導体収納室４２に収納された中継用接続導体４２１の一端は、一次側接地側用接続端子収納室２２に固定された接続端子２２３と接続され、中継用接続導体４２１の他端は二次側接地側接続端子収納室３２に収納固定された接続端子３２３と接続されている。
また、中継用接続導体収納室４３に収納された中継用接続導体４３１の一端は、一次側電圧側用接続端子収納室２３に固定された接続端子２３３と接続され、中継用接続導体４３１の他端は二次側電圧側用接続端子収納室３３に収納固定された接続端子３３３と接続されている。
前記中継用接続導体４１１，４２１，４３１は、例えば銅板からなり、一次側接続端子２１３，２２３，２３３と二次側接続端子３１３，３２３，３３３と共に一体に成形されている。
なお、一次側接続端子２１３，２２３，２３３、中継用接続導体４１１，４２１，４３１、二次側接続端子３１３，３２３，３３３をそれぞれ別部品として成形し、３者を電気的に接続した構成としても良く、一次側接続端子２１３，２２３，２３３または二次側接続端子３１３，３２３，３３３のどちらかと中継用接続導体４１１，４２１，４３１とを一体で成形し、他の接続端子を接続するように構成しても良い。
また、中継用接続導体として銅線を採用することも可能である。
【００２９】
上述したように、大径ケーブルＣＢＬ１の径は小径ケーブルＣＢＬ２の径より大きく、一次側接続部２０のケーブル配線方向であるＸ方向に直交するＹ方向の幅Ｗ１は、二次側接続部３０のケーブル配線方向に直交するＹ方向の幅Ｗ２より大きい。
これに伴い、図３および図６（Ｂ）に示すように、本第１の実施形態の中継用接続導体は、対応する一次側接続端子と二次側接続端子とが直線状に対峙していない個所があり、従ってこれら直線状に対峙していない接続端子同士を接続する中継用接続導体４１１，４３１には、両端子を繋ぐためのピッチ変換部分４１０を含む。
【００３０】
具体的には、中継用接続導体は、たとえば図３および図６（Ｂ）に示すように、一次側接地用接続端子２１３と二次側接地用接続端子３１３間の中継用接続導体４１１、および、一次側電圧側用接続端子２３３と二次側電圧側用接続端子３３３間をつなぐ中継用接続導体４３１には、ピッチ変換部４１０としての斜め配線部分４１２，４３２が形成されている。
なお、一次側接地側用接続端子２２３と二次側接地側用接続端子３２３間は、直線状に対峙しているので、ピッチ変換用部分を形成する必要はない。
【００３１】
以上の構成を有するジョイントボックス１０の施工方法の一例を説明する。
ケーブルＣＢＬ１（８ｍｍ２あるいは１４ｍｍ２のＶＣＴケーブル）の端末被覆を剥き、露出した接地用電線ＣＢＬ１−Ｇに丸型第１圧着端子２１１を圧着する。
同様に、接地側用電線ＣＢＬ１−Ｎに丸型第２圧着端子２２１を圧着し、電圧側用電線ＣＢＬ１−Ｖに丸型第３圧着端子２３１を圧着する。
【００３２】
次いで、各圧着端子２１１，２２１，２３１をねじ２１２，２２２，２３２により対応する一次側接続端子２１３、２２３，２３３に接続する。
次いで、たとえば図３に示すように、張力止めのバンド１５−１を器台１１に複数のねじＳ３−１〜Ｓ３−４にて固定してある張力止めのバンド１５−２にねじＳ４−１，Ｓ４−２にて締め付け、第１蓋体１２を被せる。
【００３３】
次にケーブルＣＢＬ２（φ１.６ｍｍ又はφ２ｍｍの３芯ＶＶＦケーブル）の端末被覆を剥き、露出した各芯線を対応する導体差し込み溝３１１，３２１，３３１に通して、鎖錠バネ３１２が嵌装された導体鎖錠部である接続端子３１３，３２３，３３３に差し込み、接続する。
この様にケーブルＣＢＬ１（ＶＣＴケーブル）とケーブルＣＢＬ２（ＶＶＦケーブル）とをジョイントボックス１０を介して電気的に接続することができる。
【００３４】
本ジョイントボックス１０は、ケーブルＣＢＬ１（ＶＣＴケーブル）をねじ止め接続し、ケーブルＣＢＬ２（ＶＶＦケーブル）を差し込み接続しているので、施工後にレイアウト変更を行う場合、ケーブルＣＢＬ１側はねじを外すことで、ケーブルＣＢＬ２側は鎖錠ばねを解錠することで各ケーブルとジョイントボックスとを簡単に外すことができ、新たなレイアウトに対して容易に対応することができる。
【００３５】
以上のように、本第１の実施形態によれば、太さが異なるケーブル同士を容易に接続することができ、しかも施行後のレイアウト変更も容易に行うことが可能となる。
従って、このジョイントボックス１０を用いることで、施工後のレイアウト変更の作業性と費用削減を実現することができる。
【００３６】
（第２の実施形態）
図８（Ａ）〜（Ｃ）は、本第２の実施形態に係る中継用ジョイントボックスのケーブルを装着していない状態（非結線状態）の上面図、側面図、および底面図である。
図９（Ａ）〜（Ｄ）は、本第２の実施形態に係る中継用ジョイントボックスのケーブルを装着していない状態（非結線状態）の内部の要部構成を示す説明図である。
【００３７】
本第２の実施形態に係るジョイントボックス１０Ａが上述した第１の実施形態に係るジョイントボックス１０と異なる点は以下の通りである。
本第２の実施形態に係るジョイントボックス１０Ａは、その二次側（小径ケーブル側）の接続部領域ＡＲ２Ａに２つの接続部３０−１と３０−２が備えてあり、２分岐用として機能させる構成となっている。
それに伴い、一次側接続部２０Ａのケーブル配線方向であるＸ方向に直交するＹ方向の幅Ｗ１１と二次側接続部３０−１と３０−２のケーブル配線方向に直交するＹ方向の幅Ｗ１２とが同じになるように構成されている。
【００３８】
具体的には、図９（Ｂ）に示すように、二次側接続部領域ＡＲ２Ａには、２つの接続部３０−１と３０−２が備えてあり、ケーブル配線方向であるＸ方向に直交するＹ方向に並列に配置されている。
２つの接続部それぞれには、３つの接続端子収納室３１、３２、３３が配置され、各接続端子収納室には、小径ケーブルＣＢＬ２の露出芯線を結線する接続端子３１３，３２３，３３３が収納されている。
【００３９】
接地用の中継用接続導体４１１は、Ｙ字型に分枝しており、一次側接続部２０Ａに収納された接地用接続端子２１３と、第１の二次側接続部３０−１に収納された接地用接続端子３１３、および第２の二次側接続部３０−２に収納された接地用接続端子３１３とを接続する。
【００４０】
同様に接地側用の中継用接続導体４２１は、Ｙ字型に分枝しており、一次側接続部２０Ａに収納された接地側用接続端子２２３と、第１の二次側接続部３０−１に収納された接地側用接続端子３２３、および第２の二次側接続部３０−２に収納された接地側用接続端子３２３とを接続する。
また同様に電圧側用の中継用接続導体４３１は、Ｙ字型に分枝しており、一次側接続部２０Ａに収納された電圧側用接続端子２３３と、第１の二次側接続部３０−１に収納された電圧側用接続端子３３３、および第２の二次側接続部３０−２に収納された電圧側用接続端子３３３とを接続する。
上記のように接続することで、一次側の配線を第１の二次側接続部３０−１と第２の二次側接続部３０−２に分岐することができる。
【００４１】
先ず、一次側接続部２０Ａの各接続端子収納室に納められた接続端子と第１の二次側接続部３０−１の各接続端子収納室に納められた接続端子との配線につき説明する。
接地用である一次側接続端子２１３と二次側接続端子３１３とを接続する。また、接地側用である一次側接続端子２２３と二次側接続端子３２３とを接続する。また、電圧側用である一次側接続端子２３３と二次側接続端子３３３とを接続する。
これらの接続には、中継用接続導体４１１，４２１，４３１が用いられる。
このように接続することで、第１の二次側接続部３０−１に分岐することができる。
【００４２】
次に、一次側接続部２０Ａの各接続端子収納室に納められた接続端子と第２の二次側接続部３０−２の各接続端子収納室に納められた接続端子との配線につき説明する。
接地用である一次側接続端子２１３と二次側接続端子３１３とを接続する。また、接地側用である一次側接続端子２２３と二次側接続端子３２３とを接続する。また、電圧側用である一次側接続端子２３３と二次側接続端子３３３とを接続する。
これらの接続には、中継用接続導体４１１，４２１，４３１が用いられる。
このように接続することで、第２の二次側接続部３０−２に分岐することができる。
【００４３】
本第２の実施形態は２分枝配線について説明したが、二次側接続領域ＡＲ２Ａに設ける接続部は３つ、４つ等複数設けることもでき、その内の幾つか又は全ての接続部の二次側電線差込口をＹ方向に配置することも可能である。
【００４４】
本第２の実施形態によれば、上述した第１の実施形態の効果と同様の効果を得られることはもとより、二次側接続部を複数にすることで一次側に接続した配線の分岐用として機能させることができる。
【００４５】
（第３の実施形態）
図１０（Ａ）〜（Ｃ）は、本第３の実施形態に係る中継用ジョイントボックスのケーブルを装着していない状態（非結線状態）の上面図、側面図、および底面図である。
図１１は、本第３の実施形態に係る中継用ジョイントボックスのケーブルを装着していない状態（非結線状態）の内部の要部構成を示す説明図である。
【００４６】
本第３の実施形態について説明する。
３芯ケーブルの配線方法として、１つの線を接地側極（中性相（Ｎ））とし、他の２線を電圧側極（第１相（Ｌ１）、第２相（Ｌ２））とし、接地側極（Ｎ）と第１相の電圧側極（Ｌ１）とをつなぐと１００Ｖの電圧が取り出せ、接地側極（Ｎ）と第２相の電圧側極（Ｌ２）とをつなぐと１００Ｖの電圧が取り出せる配線方法、即ち、単相三線の配線を二次側で１００Ｖの２系統に分岐して取り出す配線方法が採用できる。
【００４７】
なお、接地線を必要とする時は、別途接地用の電線を配線するか、ケーブルの芯線を４線とし、その内の１つの線を接地用電線とする配線方法が採用される。
第３の実施形態は、この様な配線方法に対応するジョイントボックスである。
【００４８】
本第３の実施形態に係るジョイントボックス１０Ｂが上述した第２の実施形態に係るジョイントボックス１０Ａと異なる点は以下の通りである。
本第３の実施形態に係るジョイントボックス１０Ｂは、その一次側の接続部領域ＡＲ１Ｂの接続部２０Ｂに４つの接続端子収納室２１，２２，２３，２４が配置してあり、二次側接続部領域ＡＲ２Ｂの２つの接続部３０−１と３０−２から１００Ｖの電圧と接地を２系統取りだす分岐用として機能させる構成となっている。
【００４９】
具体的には、図１１（Ｂ）に示すように、一次側接続部２０Ｂに配置された４つの接続端子収納室２１，２２，２３，２４には、接地用電線と接続する接地用接続端子２１３（ＴＧ）と、第２相の電圧側用電線を接続する第２相用の電圧側用接続端子２４３（ＴＶ２）と、接地側用電線を接続する接地側用接続端子２２３（ＴＮ）と、第１相の電圧側用電線を接続する第１相用の電圧側用接続端子２３３（ＴＶ１）とが備えてあり、ケーブル配線方向であるＸ方向に直交するＹ軸方向に並列に配置されている。
【００５０】
接地用の中継用接続導体４１１は、Ｙ字型に分枝しており、一次側接続部２０Ｂに収納された接地用接続端子２１３と、第１の二次側接続部３０−１に収納された接地用接続端子３１３、および第２の二次側接続部３０−２に収納された接地用接続端子３１３とを接続する。
また、第２相の電圧側用の中継用接続導体４４１は、一次側接続部２０Ｂに収納された第２相用の電圧側接続端子２４３と、第１の二次側接続部３０−１に収納された電圧側接続端子３３３とを接続する。
また、接地側用の中継用接続導体４２１は、Ｙ字型に分枝しており、一次側接続部２０Ｂに収納された接地側用接続端子２２３と、第１の二次側接続部３０−１に収納された接地側用接続端子３２３、および第２の二次側接続部３０−２に収納された接地側用接続端子３２３とを接続する。
また、第１相の電圧側用の中継用接続導体４３１は、一次側接続部２０Ｂに収納された第１相用の電圧側接続端子２３３と、第２の二次側接続部３０−２に収納された電圧側接続端子３３３とを接続する。
【００５１】
先ず、一次側接続部２０Ｂの各接続端子収納室に納められた各接続端子と第１の二次側接続部３０−１の各接続端子収納室に納められた各接続端子との配線につき説明する。
接地用である一次側接続端子２１３と二次側接続端子３１３とを接続する。また、接地側用である一次側接続端子２２３と二次側接続端子３２３とを接続する。また、第２相の電圧側用である一次側接続端子２４３と二次側接続端子３３３とを接続する。
これらの接続には、中継用接続導体４１１，４２１，４４１が用いられる。
このように接続することで、第１の二次側接続部３０−１から１００Ｖの電圧と接地を取り出すことができる。
【００５２】
次に、一次側接続部２０Ｂの各接続端子収納室に納められた各接続端子と第２の二次側接続部３０−２の各接続端子収納室に納められた各接続端子との配線につき説明する。
接地用である一次側接続端子２１３と二次側接続端子３１３とを接続する。また、接地側用である一次側接続端子２２３と二次側接続端子３２３とを接続する。また、第１相の電圧側用である一次側接続端子２３３と二次側接続端子３３３とを接続する。これらの接続には、中継用接続導体４１１，４２１，４３１が用いられる。
このように接続することで、第２の二次側接続部から１００Ｖの電圧と接地を取り出すことができる。
【００５３】
本第３の実施形態によれば、上述した第１および第２の実施形態の効果と同様の効果を得られることはもとより、一次側を単相三線で配線されたケーブルが接続できる構造にすることで、二次側から１００Ｖの２系統を取り出す分岐用として機能させることができる。
【００５４】
（第４の実施形態）
１２（Ａ）〜（Ｃ）は、本第４の実施形態に係る中継用ジョイントボックスのケーブルを装着していない状態（非結線状態）の上面図、側面図、および底面図である。
図１３は、本第４の実施形態に係る中継用ジョイントボックスのケーブルを装着していない状態（非結線状態）の内部の要部構成を示す説明図である。
【００５５】
本第４の実施形態について説明する。
３芯ケーブルの配線方法として、１つの線を接地側極（中性相（Ｎ））とし、他の２線を電圧側極（第１相（Ｌ１）、第２相（Ｌ２））とし、図１３（Ｂ）に示すように、接地側極（Ｎ）と第１相の電圧側極（Ｌ１）または第２相の電圧側極（Ｌ２）をつなぐと１００Ｖの電圧が取り出せ、第１相の電圧側極（Ｌ１）と第２相の電圧側極（Ｌ２）とをつなぐと２００Ｖの電圧が取り出せる配線方法、即ち、単相三線の配線を二次側で１００Ｖと２００Ｖの２系統に分岐して取り出す配線方法が採用できる。
なお、接地線を必要とする時は、別途接地用の電線を配線するか、ケーブルの芯線を４線とし、その内の１つの線を接地用電線とする配線方法が採用される。
第４の実施形態は、この様な配線方法に対応するジョイントボックスである。
【００５６】
本第４の実施形態に係るジョイントボックス１０Ｃが上述した第３の実施形態に係るジョイントボックス１０Ｂと異なる点は以下の通りである。
本第４の実施形態に係るジョイントボックス１０Ｃは、その二次側の接続部領域ＡＲ２Ｃに備えられた接続部３０−１から１００Ｖの電圧と接地を、接続部３０−２から２００Ｖの電圧と接地を取りだすことができる分岐用として機能させる構成となっている。
【００５７】
具体的には、上述した第３の実施形態に係るジョイントボックス１０Ｂの一次側接続部２０Ｂに収納された各接続端子と、二次側接続部３０−１および３０−２に収納された各接続端子とを接続する中継用接続導体の配線方法を図１３（Ｂ）に示すように変えることで、１００Ｖと２００Ｖの２系統に分岐することが可能となる。
【００５８】
接地用の中継用接続導体４１１は、Ｙ字型に分枝しており、一次側接続部２０Ｃに収納された接地用接続端子２１３と、第１の二次側接続部３０−１に収納された接地用接続端子３１３、および第２の二次側接続部３０−２に収納された接地用接続端子３１３とを接続する。
また、第２相の電圧側用の中継用接続導体４４１は、Ｙ字型に分枝しており、一次側接続部２０Ｃに収納された第２相用の電圧側接続端子２４３と、第１の二次側接続部３０−１に収納された電圧側接続端子３３３と、第２の二次側接続部３０−２に収納された第２相用の電圧側接続端子３３３とを接続する。
また、接地側用の中継用接続導体４２１は、一次側接続部２０Ｃに収納された接地側用接続端子２２３と、第１の二次側接続部３０−１に収納された接地側用接続端子３２３とを接続する。
また、第１相の電圧側用の中継用接続導体４３１は、一次側接続部２０Ｃに収納された第１相用の電圧側接続端子２３３と、第２の二次側接続部３０−２に収納された第１相用の電圧側接続端子３３３とを接続する。
上記のように接続することで、第１の二次側接続部３０−１から電圧１００Ｖと接地を、第２の二次側接続部３０−２から電圧２００Ｖと接地を取り出すことができる。
【００５９】
先ず、一次側接続部２０Ｃに納められた各接続端子と第１の二次側接続部３０−１に納められた各接続端子との配線につき説明する。
接地用である一次側接続端子２１３と二次側接続端子３１３とを接続する。また、接地側用である一次側接続端子２２３と二次側接続端子３２３とを接続する。また、第２相の電圧側用である一次側接続端子２４３と二次側接続端子３３３とを接続する。
これらの接続には、中継用接続導体４１１，４２１，４４１が用いられる。
このように接続することで、第１の二次側接続部３０−１から１００Ｖの電圧と接地を取り出すことができる。
【００６０】
次に、一次側接続部２０Ｃに納められた各接続端子と第２の二次側接続部３０−２に納められた各接続端子との配線につき説明する。
接地用である一次側接続端子２１３と二次側接続端子３１３とを接続する。また、第２相の電圧側極である一次側接続端子２４３と二次側接続端子３２３とを接続する。また、第１相の電圧側用である一次側接続端子２３３と二次側接続端子３３３とを接続する。
これらの接続には、中継用接続導体４１１，４３１，４４１が用いられる。
このように接続することで、第２の二次側接続部３０−２から２００Ｖの電圧と接地を取り出すことができる。
【００６１】
本第４の実施形態によれば、上述した第１、第２および第３の実施形態の効果と同様の効果を得られることはもとより、一次側に接続した単相三線の配線を二次側で１００Ｖ１系統と２００Ｖ１系統を取りだす分岐用として機能させることができる。
【００６２】
（第５の実施形態）
図１４（Ａ）〜（Ｃ）は、本第５の実施形態に係る中継用ジョイントボックスの電源ケーブルを装着していない状態（非結線状態）の上面図、側面図、および底面図である。
図１５（Ａ）〜（Ｃ）は、本第５の実施形態に係る中継用ジョイントボックスの電源ケーブルを装着していない状態（非結線状態）の内部の要部構成を示す説明図である。
【００６３】
本第５の実施形態に係るジョイントボックス１０Ｄが、上述した第４の実施形態に係るジョイントボックス１０Ｃと異なる点は以下の通りである。
本第５の実施形態に係るジョイントボックス１０Ｄは、その二次側接続部領域ＡＲ２Ｄに３つの接続部３０−１，３０−２，３０−３が備えてあり、１００Ｖ２系統と２００Ｖ１系統の３分岐用として機能させる構成となっている。
それに伴い、一次側接続部２０Ｄのケーブル配線方向であるＸ方向に直交するＹ方向の幅Ｗ２１より二次側接続部３０−１，３０−２，３０−３のケーブル配線方向であるＸ方向に直交するＹ方向の幅Ｗ２２が大きくなるように構成されている。
【００６４】
具体的には、図１５（Ｂ）に示すように、二次側接続領域ＡＲ２Ｄには、３つの接続部３０−１，３０−２，３０−３が備えてあり、ケーブル配線方向であるＸ方向に直交するＹ方向に並列に配置されている。
３つの接続端子部それぞれには、３つの接続端子収納室３１、３２、３３が配置され、各接続端子収納室には、小径ケーブルＣＢＬ２の露出芯線を結線する接続端子３１３，３２３，３３３が収納されている。
【００６５】
接地用の中継用接続導体４１１は、三叉に分枝しており、一次側接続部２０Ｄに収納された接地用接続端子２１３と、第１の二次側接続部３０−１に収納された接地用接続端子３１３と、第２の二次側接続部３０−２に収納された接地用接続端子３１３と、第３の二次側接続部３０−３に収納された接地用接続端子３１３とを接続する。
また、第２相の電圧側用の中継用接続導体４４１は、Ｙ字型に分枝しており、一次側接続部２０Ｄに収納された第２相用の電圧側接続端子２４３と、第１の二次側接続部３０−１に収納された電圧側接続端子３３３と、第３の二次側接続部３０−３に収納された第２相用の電圧側接続端子３２３とを接続する。
また、接地側用の中継用接続導体４２１は、Ｙ字型に分枝しており、一次側接続部２０Ｄに収納された接地側用接続端子２２３と、第１の二次側接続部３０−１に収納された接地側用接続端子３２３と、第２の二次側接続部３０−２に収納された接地側用接続端子３２３とを接続する。
また、第１相の電圧側用の中継用接続導体４３１は、Ｙ字型に分枝しており、一次側接続部２０Ｄに収納された第１相用の電圧側接続端子２３３と、第２の二次側接続部３０−２に収納された第１相用の電圧側接続端子３３３と、第３の二次側接続部３０−３に収納された第１相用の電圧側接続端子３３３とを接続する。
上記のように接続することで、第１の二次側接続部３０−１と第２の二次側接続部３０−２から電圧１００Ｖと接地を、第３の二次側接続部３０−３から電圧２００Ｖと接地を取り出すことができる。
【００６６】
先ず、一次側接続部２０Ｄに納められた各接続端子と第１の二次側接続端子部３０−１に納められた各接続端子との配線につき説明する。
接地用である一次側接続端子２１３と二次側接続端子３１３とを接続する。また、接地側用である一次側接続端子２２３と二次側接続端子３２３とを接続する。また、第２相の電圧側用である一次側接続端子２４３と二次側接続端子３３３とを接続する。
これらの接続には、中継用接続導体４１１，４２１，４４１が用いられる。
このように接続することで、第１の二次側接続部３０−１から１００Ｖの電圧と接地を取り出すことができる。
【００６７】
次に、一次側接続部２０Ｄに納められた各接続端子と第２の二次側接続端子部３０−２に納められた各接続端子との配線につき説明する。
接地用である一次側接続端子２１３と二次側接続端子３１３とを接続する。また、接地側用である一次側接続端子２２３と二次側接続端子３２３とを接続する。また、第１相の電圧側用である一次側接続端子２３３と二次側接続端子３３３とを接続する。
これらの接続には、中継用接続導体４１１，４２１，４３１が用いられる。
このように接続することで、第２の二次側接続部３０−２から１００Ｖの電圧と接地を取り出すことができる。
【００６８】
次に、一次側接続部２０Ｄに納められた各接続端子と第３の二次側接続端子部３０−３に納められた各接続端子との配線につき説明する。
接地用である一次側接続端子２１３と二次側接続端子３１３とを接続する。また、第２相の電圧側用である一次側接続端子２４３と二次側接続端子３２３とを接続する。また、第１相の電圧側用である一次側接続端子２３３と二次側接続端子３３３とを接続する。
これらの接続には、中継用接続導体４１１，４３１，４４１が用いられる。
このように接続することで、第３の二次側接続部３０−３から２００Ｖの電圧と接地を取り出すことができる。
【００６９】
本第５の実施形態によれば、上述した第１、第２、第３および第４の実施形態の効果と同様の効果を得られることはもとより、１次側に接続した単相三線を二次側で１００Ｖ２系統と２００Ｖ１系統を取りだす分岐用として機能させることができる。
また、同じ方法を用いることで、三相三線を二次側で３系統に分岐させることも可能である。
【００７０】
本発明は下記の構成を含むものとする。
［構成１］
一端側から配線される第１電源ケーブの少なくとも単相二線と接地線が圧着された圧着端子が接続される一次側接続部と、
他端側から配線される第２電源ケーブの少なくとも単相二線と接地線が差し込まれることによって結線が完了する二次側接続部と、
前記一次側接続部と前記二次側接続部の対応する単相二線と接地線の接続端子同士を接続する中継用接続導体部と、を含み、
前記一次側接続部、前記中継用接続導体部、および前記二次側接続部がケーブル配線方向に沿って順に配置されている
ジョイントボックス。
［構成２］
前記一次側接続部は、少なくとも、
一次側接地用接続端子収納室と、一次側接地側用接続端子収納室と、一次側電圧側用接続端子収納室と、を含み、前記ケーブル配線方向に直交する方向に前記一次側接地用接続端子収納室、前記一次側接地側用接続端子収納室、前記一次側電圧側用接続端子収納室が並列に配置され、
前記一次側接地用接続端子収納室には、前記第１電源ケーブルの接地用電線に圧着された第１圧着端子がねじ止めされることにより当該第１圧着端子と電気的に接続され、前記二次側接続部側に延びるように接地用接続端子が配置され、
前記一次側接地側用接続端子収納室には、前記第１電源ケーブルの接地側用電線に圧着された第２圧着端子がねじ止めされることにより当該第２圧着端子と電気的に接続され、前記二次側接続部側に延びるように接地側用接続端子が配置され、
前記一次側電圧側用接続端子収納室には、前記第１電源ケーブルの電圧側用電線に圧着された第３圧着端子がねじ止めされることにより当該第３圧着端子と電気的に接続され、前記二次側接続部側に延びるように電圧側用接続端子が配置され、
前記二次側接続部は、少なくとも、
二次側接地用接続端子収納室と、二次側接地側用接続端子収納室と、二次側電圧側用接続端子収納室と、を含み、前記ケーブル配線方向に直交する方向に前記二次側接地用接続端子収納室、前記二次側接地側用接続端子収納室、前記二次側電圧側用接続端子収納室が並列に配置され、
前記二次側接地用接続端子収納室には、他端側から、前記第２電源ゲーブルの接地用電線を差し込むための接地用導体差し込み溝が連続して形成されており、当該接地用接続端子収納室には、当該接地用導体差し込み溝から差し込まれた接地用導体を鎖錠する接地用導体鎖錠部である接地用接続端子と、当該接地用接続端子に嵌装された鎖錠バネとが収納され、前記一次側接続部側に延びるように当該接地用接続端子が配置され、
前記二次側接地側用接続端子収納室には、他端側から、前記第２電源ゲーブルの接地側用電線を差し込むための接地側用導体差し込み溝が連続して形成されており、当該接地側用接続端子収納室には、当該接地側用導体差し込み溝から差し込まれた接地側用導体を鎖錠する接地側用導体鎖錠部である接地側用接続端子と、当該接地側用接続端子に嵌装された鎖錠バネとが収納され、前記一次側接続部側に延びるように当該接地側用接続端子が配置され、
前記二次側電圧側用接続端子収納室には、他端側から、前記第２電源ゲーブルの電圧側用電線を差し込むための電圧側用導体差し込み溝が連続して形成されており、当該電圧側用接続端子収納室には、当該電圧側用導体差し込み溝から差し込まれた電圧側用導体を鎖錠する電圧側用導体鎖錠部である電圧側用接続端子と、当該電圧側用接続端子に嵌装された鎖錠バネとが収納され、前記一次側接続部側に延びるように当該電圧側用接続端子が配置され、
前記中継用接続導体部は、
前記一次側接続部の接地用接続端子と前記二次側接続部の接地用接続端子とを連結し、
前記一次側接続部の接地側用接続端子と前記二次側接続部の接地側用接続端子とを連結し、
前記一次側接続部の電圧側用接続端子と前記二次側接続部の電圧側用接続端子とを連結する
構成１記載のジョイントボックス。
［構成３］
前記第１電源ケーブルの径は前記第２電源ケーブルの径より大きく、
前記一次側接続部の前記ケーブル配線方向に直交する方向の幅が前記二次側接続部の前記ケーブル配線方向に直交する方向の幅より大きく、
前記中継用接続導体部は、
前記一次側接続部の接続端子と前記二次側接続部の接続端子間のピッチ変換のためのピッチ変換用配線を含む
構成２記載のジョイントボックス。
［構成４］
前記中継用接続導体部は、
前記接地用接続端子と前記接地用接続端子、および、前記電圧側用接続端子と前記電圧側用接続端子間の少なくとも一方の配線が、ピッチ変換のための斜め配線を含む
構成３記載のジョイントボックス。
［構成５］
前記二次側接続部は、
前記ケーブル配線方向に直交する方向に、２つの第１の二次側接続部と第２の二次側接続部が並列に配置され、
前記中継用接続導体部は、
前記一次側接続部の接地用接続端子と前記第１の二次側接続部の接地用接続端子および前記第２の二次側接続部の接地用接続端子とを連結し、
前記一次側接続部の接地側用接続端子と前記第１の二次側接続部の接地側用接続端子および前記第２の二次側接続部の接地側用接続端子とを連結し、
前記一次側接続部の電圧側用接続端子と前記第１の二次側接続部の電圧側用接続端子および前記第２の二次側接続部の電圧側用接続端子とを連結する
構成２または３記載のジョイントボックス。
［構成６］
前記二次側接続部は、
前記ケーブル配線方向に直交する方向に、２つの第１の二次側接続部と第２の二次側接続部が並列に配置され、
前記一次側接続部は、
前記一次側接地用接続端子収納室と、第２の一次側電圧側用接続端子収納室と、前記一次側接地側用接続端子収納室と、第１の前記一次側電圧側用接続端子収納室と、を含み、前記ケーブル配線方向に直交する方向に前記一次側接地用接続端子収納室、前記第２の一次側電圧側用接続端子収納室、前記一次側接地側用接続端子収納室、前記第１の一次側電圧側用接続端子収納室が並列に配置され、
前記第２の一次側電圧側用接続端子収納室には、前記第１電源ケーブルの第２の電圧側用電線に圧着された第４圧着端子がねじ止めされることにより当該第４圧着端子と電気的に接続され、前記二次側接続部側に延びるように第２の電圧側用接続端子が配置され、
前記第１の一次側電圧側用接続端子収納室には、前記第１電源ケーブルの第１の電圧側用電線に圧着された第３圧着端子がねじ止めされることにより当該第３圧着端子と電気的に接続され、前記二次側接続部側に延びるように第１の電圧側用接続端子が配置され、
前記中継用接続導体部は、
前記一次側接続部の接地用接続端子と前記第１の二次側接続部の接地用接続端子および前記第２の二次側接続部の接地用接続端子とを連結し、
前記一次側接続部の接地側用接続端子と前記第１の二次側接続部の接地側用接続端子および前記第２の二次側接続部の接地側用接続端子とを連結し、
前記一次側接続部の第２の電圧側用接続端子と前記第１の二次側接続部の電圧側用接続端子とを連結し、
前記一次側接続部の第１の電圧側用接続端子と前記第２の二次側接続部の電圧側用接続端子とを連結する
構成２または３記載のジョイントボックス。
［構成７］
前記二次側接続部は、
前記ケーブル配線方向に直交する方向に、２つの第１の二次側接続部と第２の二次側接続部が並列に配置され、
前記一次側接続部は、
前記一次側接地用接続端子収納室と、前記第２の一次側電圧側用接続端子収納室と、前記一次側接地側用接続端子収納室と、前記第１の一次側電圧側用接続端子収納室と、を含み、前記ケーブル配線方向に直交する方向に前記一次側接地用接続端子収納室、前記第２の一次側電圧側用接続端子収納室、前記一次側接地側用接続端子収納室、前記第１の一次側電圧側用接続端子収納室が並列に配置され、
前記第２の一次側電圧側用接続端子収納室には、前記第１電源ケーブルの第２の電圧側用電線に圧着された第４圧着端子がねじ止めされることにより当該第４圧着端子と電気的に接続され、前記二次側接続部側に延びるように第２の電圧側用接続端子が配置され、
前記第１の一次側電圧側用接続端子収納室には、前記第１電源ケーブルの第１の電圧側用電線に圧着された第３圧着端子がねじ止めされることにより当該第３圧着端子と電気的に接続され、前記二次側接続部側に延びるように第１の電圧側用接続端子が配置され、
前記中継用接続導体部は、
前記一次側接続部の接地用接続端子と前記第１の二次側接続部の接地用接続端子および前記第２の二次側接続部の接地用接続端子とを連結し、
前記一次側接続部の接地側用接続端子と前記第１の二次側接続部の接地側用接続端子とを連結し、
前記一次側接続部の第２の電圧側用接続端子と前記第２の二次側接続部の第２の電圧側用接続端子とを連結し、
前記一次側接続部の第１の電圧側用接続端子と前記第２の二次側接続部の第１の電圧側用接続端子とを連結する
構成２または３記載のジョイントボックス。
［構成８］
前記二次側接続部は、
前記ケーブル配線方向に直交する方向に、３つの第１の二次側接続部と第２の二次側接続部と第３の二次側接続部が並列に配置され、
前記一次側接続部は、
前記一次側接地用接続端子収納室と、前記第２の一次側電圧側用接続端子収納室と、前記一次側接地側用接続端子収納室と、前記第１の一次側電圧側用接続端子収納室と、を含み、前記ケーブル配線方向に直交する方向に前記一次側接地用接続端子収納室、前記第２の一次側電圧側用接続端子収納室、前記一次側接地側用接続端子収納室、前記第１の一次側電圧側用接続端子収納室が並列に配置され、
前記第２の一次側電圧側用接続端子収納室には、前記第１電源ケーブルの第２の電圧側用電線が圧着された第４圧着端子がねじ止めされることにより当該第４圧着端子と電気的に接続され、前記二次側接続部側に延びるように第２の電圧側用接続端子が配置され、
前記第１の一次側電圧側用接続端子収納室には、前記第１電源ケーブルの第１の電圧側用電線が圧着された第３圧着端子がねじ止めされることにより当該第３圧着端子と電気的に接続され、前記二次側接続部側に延びるように第１の電圧側用接続端子が配置され、
前記中継用接続導体部は、
前記一次側接続部の接地用接続端子と前記第１の二次側接続部の接地用接続端子、前記第２の二次側接続部の接地用接続端子、および前記第３の二次側接続部の接地用接続端子とを連結し、
前記一次側接続部の接地側用接続端子と前記第１の二次側接続部の接地側用接続端子および前記第２の二次側接続部の接地側用接続端子とを連結し、
前記一次側接続部の第２の電圧側用接続端子と前記第１の二次側接続部の電圧側用接続端子および前記第３の二次側接続部の第２の電圧側用接続端子とを連結し、
前記一次側接続部の第１の電圧側用接続端子と前記第２の二次側接続部の電圧側用接続端子および前記第３の二次側接続部の第１の電圧側用接続端子とを連結する
構成２または３記載のジョイントボックス。
【００７１】
なお、上述した実施形態は、本発明の好適な形態の一例ではあるが、これに限定されるものではなく本発明の要旨を変更しない範囲において種々変形実施が可能である。
【符号の説明】
【００７２】
１０・・・中継用ジョイントボックス、２０，２０Ａ〜２０Ｄ・・・一次側接続部、２１・・・一次側接地用接続端子収納室、２１１・・・第１圧着端子、２１３・・・接地用接続端子、２２・・・一次側接地側用接続端子収納室、２２１・・・第２圧着端子、２２３・・・接地側用接続端子、２３・・・一次側電圧側用接続端子収納室（第１の一次側電圧側用接続端子収納室）、２３１・・・第３圧着端子、２３３・・・電圧側用接続端子、２４・・・第２の一次側電圧側用接続端子収納室、２４１・・・第４圧着端子、２４３・・・第２の電圧側用接続端子、３０・・・二次側接続部、３０−１・・・第１の二次側接続部、３０−２・・・第２の二次側接続部、３０−３・・・第３の二次側接続部、３１・・・二次側接地用接続端子収納室、３１１・・・接地用導体差し込み溝、３１２・・・鎖錠バネ、３１３・・・接地用接続端子（接地用導体鎖錠部）、３２・・・二次側接地側用接続端子収納室または二次側電圧側用接続端子収納室、３２１・・・接地側用導体差し込み溝または電圧側用導体差し込み溝、３２２・・・鎖錠バネ、３２３・・・接地側用接続端子（接地側用導体鎖錠部）または電圧側用接続端子（電圧側用導体鎖錠部）、３３・・・二次側電圧側用接続端子収納室、３３１・・・電圧側用導体差し込み溝、３３２・・・鎖錠バネ、３３３・・・電圧側用接続端子（電圧側用導体鎖錠部）、ＣＢＬ１…第１電源ケーブル、ＣＢＬ２・・・第２電源ケーブル、４０，４０Ａ〜４０Ｄ・・・中継用接続導体部、４１・・・中継用接続導体収納室（接地用中継用接続導体収納室）、４１１・・・中継用接続導体（接地用中継用接続導体）、４２・・・中継用接続導体収納室（接地側用中継用接続導体収納室）、４２１・・・中継用接続導体（接地側用中継用接続導体）、４３・・・中継用接続導体収納室（第１の電圧側用中継用接続導体収納室）、４３１・・・中継用接続導体（第１の電圧側用中継用接続導体）、４４・・・中継用接続導体収納室（第２の電圧側用中継用接続導体収納室）、４４１・・・中継用接続導体（第２の電圧側用中継用接続導体）、４１０・・・ピッチ変換部、４１２,４３２・・・中継用接続導体斜め配線部
【図１】
2020095832.tif 000003
【図２】
2020095832.tif 000004
【図３】
2020095832.tif 000005
【図４】
2020095832.tif 000006
【図５】
2020095832.tif 000007
【図６】
2020095832.tif 000008
【図７】
2020095832.tif 000009
【図８】
2020095832.tif 000010
【図９】
2020095832.tif 000011
【図１０】
2020095832.tif 000012
【図１１】
2020095832.tif 000013
【図１２】
2020095832.tif 000014
【図１３】
2020095832.tif 000015
【図１４】
2020095832.tif 000016
【図１５】
2020095832.tif 000017
【図１６】
2020095832.tif 000018
【図１７】
2020095832.tif 000019